(57)【特許請求の範囲】
【請求項１】
聴取者の耳介に装着されるヘッドホンにおいて、
オーディオ信号により駆動されるドライバユニットと、
上記ドライバユニットを内部に収納し、イヤーパッドを外部に装着するための第１のフランジ部を外周に有するハウジングと、
上記ハウジングに接続され、耳介の上部後方に掛けられる形状の部品であり、上記ハウジングに接続されることで、上記第１のフランジ部と連結される第２のフランジ部を有するアームとを備えた
ヘッドホン。
【請求項２】
請求項１記載のヘッドホンにおいて、
上記ハウジングには、上記ドライバユニットの収納部から張り出した、ひさし部を外側に有し、
上記ハウジングと上記アームとを接続させたとき、上記第２のフランジ部が、ひさし部のほぼ内側に位置する形状とした
ヘッドホン。
【請求項３】
請求項１記載のヘッドホンにおいて、
上記第１のフランジ部の端部と、上記第２のフランジ部の端部とには、接続したとき嵌合する凸部又は凹部を設けた
ヘッドホン。
【請求項４】
請求項１記載のヘッドホンにおいて、
上記ハウジングの上記ドライバユニットが取付けられる内面側に、上記アームの端部が差し込まれる孔又は溝を設けた
ヘッドホン。
【請求項５】
請求項４記載のヘッドホンにおいて、
上記孔又は溝に差し込まれたアームの端部と、上記ハウジングの内面側とには、接続したとき嵌合する凸部又は凹部を設けた
ヘッドホン。
【請求項６】
請求項１記載のヘッドホンにおいて、
上記ハウジングの上記ドライバユニットが取付けられる内面側に、上記ドライバユニットを固定する突起又は溝を設けた
ヘッドホン。
【請求項７】
請求項６記載のヘッドホンにおいて、
さらに、上記アームの第２のフランジ側にも、上記ドライバユニットを固定する突起又は溝を設けた
ヘッドホン。
【請求項８】
請求項１記載のヘッドホンにおいて、
上記ハウジングの第１のフランジ部には、上記ドライバユニットに一端が接続されたコードを通すための切り込み部を設けた
ヘッドホン。
【請求項９】
請求項８記載のヘッドホンにおいて、
上記切り込み部は、曲折した形状とした
ヘッドホン。
【請求項１０】
請求項１記載のヘッドホンにおいて、
上記ハウジングの外側に、所定形状のキャップを取付けるための接続機構部を設け、
その接続機能部に取付けられたキャップにより、上記第１，第２のフランジ部に装着されたイヤーパッドとハウジングとの境界部が隠れる形状とした
ヘッドホン。
【発明の詳細な説明】
【０００１】
【発明の属する技術分野】
本発明は、ヘッドホン本体から伸びたアームを耳介上部に掛けることで装着される形状のヘッドホンに関する。
【０００２】
【従来の技術】
従来、ヘッドホンとして例えば図１８に示す形状のものが実用化されている。図１８は、ヘッドホンを真横から見た図であり、左側ハウジング１からアーム２が上部に伸び、図示しない反対側の右側ハウジングまで接続されている。ハウジング１の内部には、ケーブル４を介して供給されるオーディオ信号により駆動されるドライバユニットが内蔵されて、ハウジング１の外側にイヤーパッド４を取付けてある。
【０００３】
この図１８に示す形状のヘッドホンを構成させた場合、ハウジング１とアーム２の取付け部とを樹脂で一体成形させることで、比較的部品点数の少ない簡単な構成でヘッドホンを構成させることができる。
【０００４】
【発明が解決しようとする課題】
ところが、ハウジング１とアーム２の取付け部とを樹脂で一体成形させた場合、ハウジング１を樹脂成形する際に、アーム２の取付け部とハウジング１とが重なる部分で、ハウジング１を切り欠いた形状とする必要があり、比較的柔らかいスポンジ状の樹脂などで形成されたイヤーパッド３を取付けたとき、ハウジング１の切り欠き部に対応した凹み３ａが発生してしまう。
【０００５】
この凹みが発生する理由について説明すると、ハウジング１とアーム２の取付け部とを一体に合成樹脂で成形させた場合、その一体成形されたハウジング１の近傍の形状は、例えば図１９に示すようになる。図１９のＡは裏面、図１９のＢは側面、図１９のＣは表面を、それぞれ示してあり、図１９のＡに示す裏面に、図示しないドライバユニットが配置され、イヤーパッド３が取付けられて組み立てられた状態では、図１９のＣに示す表面が外側に露出している。
【０００６】
ここで、図１９のＡ，Ｃに示すように、ハウジング１には、イヤーパッド３を取付けるためのフランジ１ａが、ほぼ環状に形成してあり、そのフランジ１ａの上にイヤーパッド３を被せることで、イヤーパッド３が取付けられる。但し、ハウジング１とアーム２の取付け部とを一体に成形させるために、アーム２の取付け部と重なる位置には、フランジ１ａを設けることができない。
【０００７】
即ち、この例では図１９のＢに示すように、パーティングラインＰを基準として、成形用金型をコア側とキャビ側に分けて樹脂成形させるようにしてあり、アーム２の取付け部を成形させるために、その位置と重なる部分（いわゆるアンダーカットになる範囲）には、フランジ１ａを成形させることができない。従って、アーム２と重なる位置は、イヤーパッド３を支える部材がない状態となって、図１８に示すような凹み３ａが発生してしまう。
【０００８】
成形用金型として、ここでは最も簡単な上下押切り構造を採用してあり、スライド金型などのより複雑な金型を使用することで、アンダーカット部にフランジを形成させることも不可能ではないが、このような複雑な金型を使用して成形すると、それだけ製造コストが上昇する問題があり、ヘッドホンの価格が高くなってしまう。
【０００９】
イヤーパッド３の形状によっては、凹み３ａは目立たなくすることも可能であるが、その場合でも、イヤーパッド３の該当する部分を押すと、フランジがないために容易に凹んでしまう。また聴取者が装着した際には、フランジが該当部分にないことで、イヤーパッド３が部分的に凹むことになり、耳介との接触状態に違和感が生じてしまう。また、このような凹み３ａが発生することで、イヤーパッド３がハウジング１から外れ易くなってしまう。さらに、イヤーパッド３が経時変化で劣化した場合には、その部分からイヤーパッド３が裂け易くなってしまう問題があった。
【００１０】
また、別の問題として、この種のヘッドホンのハウジングには、内部に収納されたドライバユニットに、外部からオーディオ信号などを供給するためのケーブルを通す必要がある。ここで、ヘッドホンに取付けられたケーブルが、外側から何らかの力で引っ張られたとき、ドライバユニットとケーブルとの接続部に直接その力が加わって、ドライバユニットからケーブルが外れることがないように、ハウジングの途中で、ケーブルが止まるような機構を設ける必要があった。
【００１１】
即ち、例えば図２０に示す円形形状のハウジング８が用意されて、そのハウジング８の内部８ａに、オーディオ信号を出力するドライバユニットを収納する構成であったとする。このとき、樹脂で成形されたハウジング８の側面には、透孔８ｂを設けておき、その透孔８ｂにコード９を通過させる。この透孔８ｂを通したコード９の一端は、ハウジング８の内部でドライバユニットにハンダ付けされて接続される、そして、この例では、外側からコード９が引っ張られても、コード９とドライバとのハンダ付け箇所が切断することがないように、ハウジング８の内部側で、一度コード９を結んた箇所９ａを形成させておき、外側からコード９が引っ張られることがあっても、その結んた箇所９ａが、透孔８ｂに引っ掛かって、ハンダ付け箇所などに力が加わらないようにしてある。
【００１２】
このように構成することで、コードの断線を防止できるが、ヘッドホンの組み立て作業時には、コード９をハウジング８の透孔８ｂに通す作業が必要であり、またコード自体に結んた箇所９ａを形成させる作業が必要であり、組み立てに非常に手間がかかる問題があった。
【００１３】
本発明は、この種のヘッドホンを構成させる上での問題を解決することを目的とする。
【００１４】
【課題を解決するための手段】
本発明は、オーディオ信号により駆動されるドライバユニットと、ドライバユニットを内部に収納し、イヤーパッドを外部に装着するための第１のフランジ部を外周に有するハウジングと、ハウジングに接続され、耳介の上部後方に掛けられるアームとを備えたヘッドホンにおいて、アームとして、ハウジングに接続したとき、ハウジング側の第１のフランジ部と連結される第２のフランジ部を設けたものである。
【００１５】
本発明によると、ハウジングと接続されるアーム側に、ハウジング側のフランジ部と連結されるフランジ部を設けたことで、ハウジングを樹脂成形する際のいわゆるアンダーカットになる範囲にも、フランジ部が配置されることになって、ほぼ環状にイヤーパッド装着用のフランジ部が形成されることになり、イヤーパッドを良好に保持できるようになる。
【００１６】
【発明の実施の形態】
以下、図１〜図１３を参照して、本発明のヘッドホンの一実施の形態を説明する。
【００１７】
本例においては、聴取者の耳介にハンガー状のアームを掛けることで、ヘッドホンを構成するユニットが装着される、ヘヤーバンドのないタイプのヘッドホンとしたものである。即ち、図１に本例のヘッドホンの全体構成を示すと、左耳の耳介に装着される左側ユニット１００と、右耳の耳介に装着される右側ユニット２００とを有する。
【００１８】
また、オーディオ再生装置やラジオ受信機などのオーディオ信号源のヘッドホンジャックに挿入されるプラグ１０が、コード２１を介してコード接続部２０に接続してあり、このコード接続部２０と左側ユニット１００との間に、コード２２が接続してあり、さらにコード接続部２０と右側ユニット２００との間に、コード２３が接続してある。コード２２及び２３は、左側ユニット１００及び右側ユニット２００の内部でドライバユニットに接続してある。プラグ１０としては、例えば３極の電極部１１，１２，１３を備えたものが使用される。
【００１９】
左側ユニット１００及び右側ユニット２００は、それぞれＡＢＳ樹脂等の比較的硬質の樹脂で成形されたほぼ円形のハウジング１１０，２１０の内部に、オーディオ信号を出力するドライバユニットが内蔵させてあり、各ハウジング１１０，２１０の外側には、キャップ１２０，２２０が取付けてある。ハウジング１１０，２１０と耳が接触する部分には、イヤーパッドが取付けてある。
【００２０】
そして、左右のハウジング１１０，２１０の上部には、耳介に装着する際のハンガーとして機能するアーム１３０，２３０が取付けてある。このアーム１３０，２３０については、ＰＰ（ポリプロピレン），ＰＢＴ（ポリブチレンテレフタレート），ＰＯＭ（ポリアセタール）等の比較的柔軟性のある樹脂で成形してある。ハウジング１１０，２１０については、本例の場合、左右で全く同一の形状であるが、アーム１３０，２３０については、左右対象の形状としてある。
【００２１】
図２，図３に本例のヘッドホンの装着例を示すと、聴取者の左右の耳介ｅの上部後方にアーム１３０，２３０を通すことで、左右のユニット１００，２００が装着される。左右のユニット１００，２００を結ぶコード２２，２３は、例えば後頭部を通過させる。
【００２２】
ここで、プラグ１０の各電極１１，１２，１３と、各ユニット内のドライバユニットとの接続例を図４に示すと、左側ユニット１００にドライバユニット１０１が内蔵させてあり、右側ユニット２００にドライバユニット１０２が内蔵させてあるとすると、プラグ１０の先端側の電極１１は、左側ユニット１００内のドライバユニット１０１の一方の極に接続させてあり、プラグ１０の中央の電極１２は、右側ユニット２００内のドライバユニット１０２の一方の極に接続させてあり、プラグ１０の後端側の電極１３は、各ユニット１００，２００内のドライバユニット１０１，１０２の他方の極に接続させてある。
【００２３】
このように構成される本例のヘッドホンは、ハウジング１１０，２１０とアーム１３０，２３０の形状に特徴を有するものである。以下、その構成について説明する。図５，図６は、左側ユニット１００を分解して示す図である。なお、以下の説明では、左側ユニット１００についてだけ説明し、右側ユニット２００の構成については特に説明しないが、右側ユニット２００についてはアーム２３０が左側のアーム１３０と左右対象の形状になる以外は、左側ユニット１００と全く同一の構成である。また、以下の説明では、表面と称するのは、装着時に外側になる面のことであり、裏面と称するには、装着時に内側を向く面のことであり、ドライバユニットからの音は裏面側から出力される。
【００２４】
図５では、ハウジング１１０とアーム１３０は一体に接続した状態で示してあり、図６では、ハウジング１１０とアーム１３０を分離した状態で示してある。アーム１３０は、ハウジング接続部１３１が、ハウジング１１０のひさし部１１３の内側に差し込むようにして接続させてあり、その接続部１３１からＵ字状に曲折させた耳介通過用曲折部１３０ａが形成されて、その曲折部１３０ａからさらに先端部１３２が長く伸びている構成としてある。
【００２５】
このようなアーム１３０が接続されたハウジング１１０は、ほぼ円形形状としてあり、その中央内側にドライバ収納部１１１が構成してあり、このドライバ収納部１１１に、円形のドライバユニット１０１が取付けられる。この円形のドライバユニット１０１の側面には、ハウジング取付け用として、６０°の等間隔で６箇所にリブ１０１ａが設けてある。ドライバユニット１０１に接続されたオーディオ信号供給用のコード２２は、ハウジング１１０に設けたフランジ部１１２の途中、ここでは、ひさし部が形成された位置とはほぼ反対側の位置に、コード挿通用切り欠き部１１５が設けてあり、その切り欠き部１１５にコード２２を通過させるようにしてある。
【００２６】
またハウジング１１０の周囲には、第１のフランジ部１１２が形成させてある。但し、アーム１３０が接続される部分、即ちひさし部１１３が形成された位置の内側のハウジング側には、フランジ部が設けてないが、本例の場合には、アーム１３０側に、第２のフランジ部１３３が設けてあり、ハウジング１１０とアーム１３０を接続させた際には、ハウジング側のフランジ１１２と、アーム側のフランジ１３３とが一体に接続されて、ほぼ環状のフランジとして構成される。
【００２７】
このフランジ部１１２，１３３には、円形のイヤーパッド１４０が装着される。イヤーパッド１４０は、例えばスポンジ状の樹脂で構成されて、図５に示すように円形の透孔１４１を有し、その透孔１４１をフランジ部１１２，１３３に嵌めるようにして装着される。
【００２８】
そして、ハウジング１１０の外側には、円形のキャップ１２０が取付けられる。キャップ１２０は、ハウジング側のひさし部１１３を避けるための円形の切り欠き部１２１が設けてあり、その切り欠き部１２１のほぼ中央の内側の淵に、係合用突起１２２が設けてある。そして、このキャップ１２０を取付けるために、ハウジング１１０の外側中央には、キャップ取付け用孔１１４が設けてあり、キャップ１２０側の係合用突起１２２を、ハウジング１１０の孔１１４に挿入することで、キャップ１２０がハウジング１１０に取付けられる。
【００２９】
また、キャップ１２０の内側には、図６に破線で示すように、複数箇所に突起１２３が形成させてあり、ハウジング１１０側のドライバ収納部１１１の側壁部に設けた開口部１１６に、この突起１２３が嵌まって、キャップ１２０の位置が定まるようにしてある。なお、イヤーパッド１４０を嵌めた状態で、キャップ１２０を取付けたときには、イヤーパッド１４０の端部（開口部１４１）が、キャップ１２０で隠れるようになる。
【００３０】
次に、本例のハウジング１１０とアーム１３０の詳細な構成を、図７〜図１１を参照して説明する。図７は、ハウジング１１０とアーム１３０を表面側から見た図であり、図８は、ハウジング１１０を裏面側から見た図であり、図９は、ハウジング１１０にアーム１３０を接続するために、アーム１３０を近接させた状態を裏面側から見た図であり、図１０は、完全に接続した状態を示した図である。図１１は、この接続状態での縦断面を示した図である。
【００３１】
図７及び図８に示すように、本例のハウジング１１０は、円形に立ち上がったドライバ収納部１１１の周囲に、第１のフランジ部１１２が形成してあり、ドライバ収納部１１１の側壁部には、複数の開口部１１６が形成してある。そして、アーム１３０と接続される部分には、表面側に、ひさし部１１３が形成してある。ひさし部１１３は、ほぼ円形形状をして、最終的にヘッドホンとして組み立てられた状態のときには、ハウジング１１０のひさし部１１３だけが外側に露出する。ひさし部１１３の先端には、突起１１７が設けてあり、アーム１３０を取付けたとき、アーム側のハウジング接続用溝１３５に、この突起１１７が納まる形状としてある。
【００３２】
ハウジング１１０の第１のフランジ部１１２は、ひさし部１１３の下側になる部分を除いて形成させてある。ひさし部１１３の下側になる部分は、いわゆる樹脂成形時のアンダーカットになる範囲であり、単純な上下押し切り構造の金型を使用したとき、このアンダーカットになる範囲にフランジ部を形成させることはできない。このひさし部１１３の下部を避けたフランジ部１１２の一方及び他方の端部には、アーム側のフランジ部と嵌合させるための凹部１１２ａが設けてある。この凹部１１２ａは、図７に示すように、端部の表面側を削った形状として形成させたものである。
【００３３】
第１のフランジ部１１２の途中に設けたコード挿通用切り欠き部１１５は、図８などに示すように、ドライバ収納部１１１の側壁部（即ち開口部１１６と隣接した位置）まで深く切り欠いてあり、その切り欠き部１１５の途中には、曲折部１１５ａを設けてある。曲折部１１５ａよりも奥の切り欠き部１１５は、幅が狭くなって、通過させたコード２２を挟むようにしてある。ドライバユニット１０１に接続されたコード２２を通す場合には、この切り欠き部１１５の奥まで差し込んで、コード２２を通すようにする。
【００３４】
また図８に示すように、ハウジング１１０の裏面側のほぼ中央部には、アーム接続用孔１１８が設けてあり、この孔１１８の近傍には、アーム接続用突起１１８ａも形成させてある。なお、アーム接続用孔１１８は、ハウジング１１０の表面中央のキャップ取付け用孔１１４（図７など参照）と連続した孔になっている。
【００３５】
また図８に示すように、フランジ部１１２の裏面側には、複数箇所にドライバ固定用リブ１１９が設けてあり、そのリブ１１９と近傍した位置の外周側に、ドライバ固定用溝１１９ａが設けてある。本例の場合には、６０°間隔で４箇所にリブ１１９及び溝１１９ａを設けてある。なお、上下押し切り構造の金型で溝１１９ａを形成させるために、フランジ部１１２の溝１１９ａの形成位置には、開口部１１９ｂが設けてある。
【００３６】
アーム１３０については、図７に示すように、ハウジング側のフランジ部１１２と連続する形状の第２のフランジ部１３３が、細長く伸びたハウジング接続部１３１の左右に形成させてある。図９などに示すように、ハウジング接続部１３１の真下になる位置には、アーム形成時のアンダーカットになる範囲であるためにフランジ部が設けてないが、ハウジング接続部１３１の幅を比較的狭く形成させてあるので、フランジ部がない区間の長さはわずかである。
【００３７】
アーム１３０に設けた第２のフランジ部１３３の一方及び他方の先端部には、凸部１３３ａが形成させてある。この凸部１３３ａは、図７に示すように、端部の表面側を突出させた形状で形成させたものであり、その突出形状が、ハウジング側のフランジ部１１２の端部の凹部１１２ａと嵌合するようにしてある。
【００３８】
アーム１３０の細長く伸びたハウジング接続部１３１の先端１３１ａは、ハウジング１１０側のアーム接続用孔１１８に挿入できる形状（厚さ）としてあり、接続部１３１をアーム接続用孔１１８に挿入したとき、ハウジング１１０側のアーム接続用突起１１８ａと接触する位置に、ハウジング接続用孔１３４が形成させてある。さらに、アーム１３０のフランジ部１３３の取付け部の近傍には、ハウジング接続用溝１３５が形成させてある。この溝１３５は、ハウジング１１０側のひさし部１１３の先端の突起１１７が挿入できる形状としてある。
【００３９】
またアーム１３０の裏面側を示した図９に示すように、アーム１３０の各フランジ部１３３の裏面側には、左右に１箇所ずつ、ドライバ固定用リブ１３６と、そのリブ１３６と近傍した位置の外周側に、ドライバ固定用溝１３６ａとを設けてある。この２箇所のリブ１３６等は、６０°間隔で配置してある。溝１３６ａを形成させるために、フランジ部１３３の溝１３６ａの形成位置には、開口部１３６ｂが設けてある。この第２のフランジ部１３３のリブ１３６，溝１３６ａ，開口部１３６ｂの形成状態は、ハウジング１１０側のリブ１３６，溝１３６ａ，開口部１３６ｂの形成状態と全く同じにしてある。そして、後述するようにアーム１３０とハウジング１１０とを接合したときには、図１０に示すように、一体化された第１，第２のフランジ部１１２，１３３に、６０°間隔で６箇所にドライバ固定用のリブ（１１９，１３６）と溝（１１９ａ，１３６ａ）が並ぶようになる。
【００４０】
このように構成されるハウジング１１０にアーム１３０を接合する際には、図９に示すように、アーム１３０のハウジング接続部１３１の先端１３１ａを、ハウジング１１０の裏面のアーム接続用孔１１８に挿入して、図１０に示す状態として、ハウジング１１０のアーム接続用突起１１８ａを、アーム１３０のハウジング接続用孔１３４に挿入させる。また、図１１の断面で接合状態を示すように、ハウジング１１０側のひさし部１１３の先端の突起１１７を、アーム１３０のハウジング接続部１３１の溝１３５に挿入させる。このように嵌め合わせて接合させることで、ハウジング１１０とアーム１３０との接合状態が確実に維持されるようになる。
【００４１】
ハウジング１１０とアーム１３０とを接合させたときには、図１０に示すように、ハウジング１１０側のフランジ部１１２と、アーム１３０側のフランジ部１３３とが一体となって、ほぼ環状のフランジ部が形成されることになる。このとき、ハウジング１１０側のフランジ部１１２と、アーム１３０側のフランジ部１３３とが接触する部分には、相互に嵌合する形状の凹部１１２ａと凸部１３３ａが形成させてあり、両フランジ部１１２，１３３が一体のフランジになるようにしてある。
【００４２】
このようにハウジング１１０にアーム１３０が接合された状態で、既に図５を参照して説明したように、ハウジング１１０のドライバ収納部１１１に、ドライバユニット１０１を収納させる。このときには、一体となったフランジ部１１２，１３３の裏面側に、等間隔でドライバ固定用リブ（１１９又は１３６）と、ドライバ固定用溝（１１９ａ又は１３６ａ）が配置され、ドライバユニット１０１の外周部に等間隔で設けられたリブ１０１ａを、このフランジ部のリブと溝の間に挿入させることで、ドライバユニット１０１がハウジング１１０に固定される。図１２は、このドライバユニット１０１をハウジング１１０に固定した状態を断面で示した図である。
【００４３】
なお、ドライバユニット１０１を取付ける際には、ドライバユニット１０１に接続されたコード２２を、ハウジング１１０の切り欠き部１１５を通過させて、外部に引き出すようにする。
【００４４】
そして、ドライバユニット１０１が取付けられたハウジング１１０及びアーム１３０のフランジ部１１２，１３３に、図５に示した如きイヤーパッド１４０を被せることで、ヘッドホンとして組み立てられる。さらに、図５に示したキャップ１２０を、ハウジング１１０の外側のキャップ取付け用孔１１４を使用して取付けることで、図１３に示したように組み立てられる。
【００４５】
このように構成される本例のヘッドホンによると、簡単な構成で良好な形状のヘッドホンとすることができる。即ち、ヘッドホン本体を構成する部材としては、図５に示したように、ドライバユニットと、そのドライバユニットを収納するハウジングと、ハウジングと結合されるアームと、イヤーパッド及びキャップだけで良く、ハウジングとアームについては、それぞれ上下押し切り構造の金型で成形できる簡単な構成としてあり、安価に製造できる。
【００４６】
ここで、ハウジングを上下押し切り構造の金型で成形できる簡単な構成としたとき、アームとの結合部と重なる部分（いわゆるアンターカットになる範囲）には、イヤーパッド装着用のフランジを設けることができないが、アーム側にそのフランジ部を設ける構成としたことで、アームとの結合部にもイヤーパッド装着用のフランジが存在することになり、イヤーパッドをほぼ完全な円形形状でフランジ部が保持することができ、従来例として図１８に示した如きイヤーパッドの変形を阻止でき、また装着時に違和感を感じることもなく、イヤーパッドの破れなどの損傷も効果的に防止できる。
【００４７】
なお、ハウジング側のフランジ部１１２とアーム側のフランジ部１３３とが接する部分には、相互に嵌合する形状の凹部１１２ａと凸部１３３ａが形成させてあり、両フランジ部１１２，１３３が一体のフランジになるようにしてあるので、ハウジング側のフランジ部１１２とアーム側のフランジ１３３とがずれるようなことがなく、イヤーパッド装着用の機構として良好に機能する。
【００４８】
また、ハウジング側のフランジ部１１２とアーム側のフランジ部１３３の双方に、ドライバユニット１０１を保持する機構としてのリブと溝を設けたので、ドライバユニット１０１の保持がそれだけ良好に行われるようになる。
【００４９】
また本例の場合には、ヘッドホン内のドライバユニットに接続されるコード２２を、単にハウジング１１０に設けた切り欠き部１１５に通すだけの簡単な構成したが、この切り欠き部１１５の途中に曲折部１１５ａを設けてあり、その曲折部よりも奥でコードを挟むようにしてあるので、コード２２が外れ難く、万一、ヘッドホンの外側からコード２２を引っ張る力が加わっても、切り欠き部１１５を経由してハウジング１１０の内部に配置されたコード２２とドライバユニット１０１との接続部には力が加わり難く、コード２２とドライバユニット１０１とのハンダ付け箇所が切断するようなことを、簡単な構成で効果的に防止できる。従って、従来例として図２０に示したように、コードの途中に結んた箇所を設けるような処理が必要なくなり、組み立て時の作業性が向上する。
【００５０】
さらに本例の場合には、キャップ１２０を設ける構成としたことで、ハウジング１１０とイヤーパッド１４０との境界部の近傍が、キャップ１２０で隠れる形状となり、ヘッドホンとしての見栄えが良くなる。特に、ハウジング１１０は、ひさし部１１３だけが外側に露出した状態となり、フランジ部などは全く外側からは見えないため、ハウジング１１０とアーム１３０が別の素材で構成されていても、そのことが目立つようなことはない。また、ハウジング１１０やアーム１３０を構成する素材が、印刷や塗装などが困難な素材であっても、外側から目立つ部品であるキャップ１２０だけを、印刷や塗装など容易に行える素材で形成させて、そのキャップに商品性を高める印刷や塗装などを行えば良く、簡単な構成で、ヘッドホンとしてのデザインの自由度が向上する。
【００５１】
なお、ここまで説明したヘッドホンは、左右独立にユニットを構成させて、その左右独立のユニットを、それぞれのアームで左右の耳介に掛けるタイプのヘッドホンとしたが、１本のアーム（バンド）で左右のユニットを結合させるタイプのヘッドホンにも適用可能である。
【００５２】
即ち、例えば図１４に示すように、１本のアーム３００が、装着者の後頭部を通過するいわゆるネックバンド方式のものとして構成する。そして、そのアーム３００の一端に、左側のハウジング１１０が取付けられ、図示しないアーム３００の他端に、右側のハウジング２１０が取付けられるように構成する。アーム３００のハウジング取付け部の形状としては、図５〜図１１で説明した構成と全く同じであり、アーム３００の端部に、ハウジング接続部３０１を構成させて、その接続部３０１から伸びた部分を、曲折部３０２として、耳介の上部後方に掛けられる形状とし、さらにその後方をネックバンド部３０３とする。そして、ハウジング接続部３０１の左右に、第２のフランジ部３０４を設けて、ハウジング１１０側のフランジ部と結合させる。
【００５３】
この図１４に示すように構成することで、ネックバンド方式にも適用可能である。図１５は、このネックバンド方式のヘッドホンとして構成したものを、聴取者が装着した例を示したものである。ネックバンド方式のヘッドホンの左側ユニット１００′が、聴取者の左の耳介に掛けるようにして装着されている。
【００５４】
また、左右２つのユニットを備えたヘッドホンとして構成させるのではなく、左右いずれか一方の耳にだけ装着される、いわゆるモノラルタイプのイヤーホンとして構成させる場合に、ハウジングとアームとの構造を上述したように構成しても良い。
【００５５】
また、ここまで説明した実施の形態では、オーディオ信号を出力させる機能だけを備えたヘッドホンとして構成したが、マイクロホンを備えたヘッドセットとして構成したものにも適用可能である。
【００５６】
即ち、例えば図１６に示したように、アーム１３０′で耳介に掛けられる形状の左側ユニット１００には、棒状のマイクロホン接続部材１５０の先端にマイクロホン１５１を取付けておく。アーム２３０′で耳介に掛けられる形状の右側ユニット２００には、マイクロホンを取付けない。そして、左側ユニット１００と右側ユニット２００とをコード２３′で接続し、左側ユニット１００から伸びたコード２１′には、オーディオ信号用の信号線とマイクロホン用の信号線を通しておき、オーディオ信号入力用のプラグ１０の他に、マイクロホン用のプラグ３０を接続する構成とする。なお、図１６の例では、アーム１３０′，２３０′については、図１に示したアーム１３０，２３０よりも幅の狭い形状としてある。
【００５７】
また、例えば図１７に示したように、左側ユニット１００とプラグ１０との間のコード２３″の途中に、マイクロホン４０を取付ける構成としても良い。なお、この図１７の例では、マイクロホン用のプラグ５１については、コード２３″の途中に設けたマイクロホン用プラグ固定部材５０に取付ける構成としてある。なお、マイクロホン用のプラグとオーディオ入力用のプラグは、１つのプラグで構成させても良い。
【００５８】
また、上述した実施の形態では、外部からコードを介して入力したオーディオ信号によりドライバユニットが駆動されるヘッドホンに適用したが、例えばヘッドホン内に、半導体メモリなどを使用したオーディオ信号源を内蔵させたヘッドホンとして構成したり、或いは無線信号を受信する回路をヘッドホンに内蔵させて、無線信号としてオーディオ信号が伝送されるようにしても良い。
【００５９】
【発明の効果】
本発明によると、ハウジングと接続されるアーム側に、ハウジング側のフランジ部と連結されるフランジ部を設けたことで、ほぼ環状にイヤーパッド装着用のフランジ部が形成されることになる。即ち、ハウジングにアーム接続部を設けるために、そのアーム接続部と重なる位置で、ハウジング側にフランジ部を形成することが困難であっても、その位置にアーム側のフランジ部が位置することになり、イヤーパッドをほぼ環状な形状で良好に保持できるようになる。従って、フランジ部が部分的に無いことによる装着時の違和感がなく、イヤーパッドの破れなどの損傷も効果的に防止できる。
【００６０】
この場合、ハウジングには、ドライバユニットの収納部から張り出した、ひさし部を外側に有し、ハウジングとアームとを接続させたとき、第２のフランジ部が、ひさし部のほぼ内側に位置する形状としたことで、ひさし部で隠れる位置に、ハウジングとアームとの接続部が位置することになり、ハウジングとアームとの接続状態が目立たなくなる。
【００６１】
また、第１のフランジ部の端部と、第２のフランジ部の端部とには、接続したとき嵌合する凸部又は凹部を設けたことで、ハウジングとアームを接続したとき、それぞれのフランジ部が凸部又は凹部で嵌合して一体形状となり、イヤーパッド装着用のフランジ部として良好な形状になる。
【００６２】
また、ハウジングのドライバユニットが取付けられる内面側に、アームの端部が差し込まれる孔又は溝を設けたことで、その孔又は溝を使って、ハウジングにアームを取付けることが簡単かつ確実に行える。
【００６３】
また、このようにアームの端部が差し込まれる孔又は溝をハウジングに設けた場合に、その孔又は溝に差し込まれたアームの端部と、ハウジングの内面側とには、接続したとき嵌合する凸部又は凹部を設けたことで、さらにその凸部又は凹部の嵌合で、ハウジングとアームとの接続状態の維持が良好に行われる。
【００６４】
また、ハウジングのドライバユニットが取付けられる内面側に、ドライバユニットを固定する突起又は溝を設けたことで、ドライバユニットのハウジングへの固定が簡単に行えるようになる。
【００６５】
また、このようにハウジング側にドライバユニットを固定する突起又は溝を設けた場合に、さらに、アームの第２のフランジ側にも、ドライバユニットを固定する突起又は溝を設けたことで、ハウジングと一体となったアーム側でも、ドライバユニットを保持するので、より良好にドライバユニットを保持できるようになる。
【００６６】
また、ハウジングの第１のフランジ部には、ドライバユニットに一端が接続されたコードを通すための切り込み部を設けたことで、ドライバユニットにオーディオ信号などを供給するコードを簡単に通すことができるようになる。
【００６７】
さらに、このようにコードを通す切り込み部を設けた場合に、その切り込み部は、曲折した形状としたことで、その曲折形状でコードを係止させることができ、コードを止めるための機構を別途設けることなく、簡単にコードをハウジング内に係止できるようになる。
【００６８】
また、ハウジングの外側に、所定形状のキャップを取付けるための接続機構部を設け、その接続機能部に取付けられたキャップにより、第１，第２のフランジ部に装着されたイヤーパッドとハウジングとの境界部が隠れる形状としたことで、部品点数の少ない簡単な構成で、良好な形状のヘッドホンとして構成できるようになる。
【図面の簡単な説明】
【図１】本発明の一実施の形態によるヘッドホンの全体構成例を示した平面図である。
【図２】本発明の一実施の形態によるヘッドホンの装着例を示した正面図である。
【図３】本発明の一実施の形態によるヘッドホンの装着例を示した側面図である。
【図４】本発明の一実施の形態によるヘッドホンの接続例を示した回路図である。
【図５】本発明の一実施の形態によるヘッドホンの構成例を示した分解斜視図である。
【図６】本発明の一実施の形態によるハウジングとアームの例を分解して示す平面図である。
【図７】本発明の一実施の形態によるハウジングとアームの例を分解して示す斜視図である。
【図８】本発明の一実施の形態によるハウジングの裏面側の例を示す斜視図である。
【図９】本発明の一実施の形態によるハウジングとアームを接合する途中の状態の例を示す斜視図である。
【図１０】本発明の一実施の形態によるハウジングとアームを接合した状態の例を示す斜視図である。
【図１１】本発明の一実施の形態によるハウジングとアームを接合した状態の例を示す断面図である。
【図１２】本発明の一実施の形態によるハウジングにドライバを取付けた状態の例を示す断面図である。
【図１３】本発明の一実施の形態によるヘッドホンの左側ユニットを組み立てた状態の例を示す斜視図である。
【図１４】本発明の一実施の形態によるヘッドホンをネックバンド方式とした場合の例を示す平面図である。
【図１５】図１４の例のヘッドホンを装着した例を示す側面図である。
【図１６】本発明の一実施の形態によるヘッドホンにマイクロホンを取付けた場合の例を示す平面図である。
【図１７】本発明の一実施の形態によるヘッドホンをマイクロホンを取付けた場合のさらに別の例を示す平面図である。
【図１８】従来のヘッドホンの一例を示した側面図である。
【図１９】図１８に示したヘッドホンのハウジングを示した平面図であり、図１８Ａは裏面、図１０Ｂは平面、図１０Ｃは表面を示した図である。
【図２０】従来のヘッドホンのハウジングの別の例を示した斜視図である。
【符号の説明】
１０…プラグ、１１，１２，１３…電極部、２０…コード接続部、２１，２１′，２１″，２２，２３，２３′…コード、３０…プラグ、４０…マイクロホン、５０…マイクロホン用プラグ固定部材、５１…プラグ、１００，１００′…左側ユニット、１０１，１０２…ドライバユニット、１０１ａ…リブ、１１０…ハウジング、１１１…ドライバ収納部、１１２…第１のフランジ部、１１２ａ…凹部、１１３…ひさし部、１１４…キャップ取付け用孔、１１５…コード挿通用切り欠き部、１１５ａ…曲折部、１１６…開口部、１１７…突起、１１８…アーム接続用孔、１１８ａ…アーム接続用突起、１１９…ドライバ固定用リブ、１１９ａ…ドライバ固定用溝、１１９ｂ…開口部、１２０…キャップ、１２１…切り欠き部、１２２…係合用突起、１２３…突起、１３０，１３０′…アーム、１３０ａ…耳介通過用曲折部、１３１…ハウジング接続部、１３２…先端部、１３３…第２のフランジ部、１３３ａ…凸部、１３４…ハウジング接続用孔、１３５…ハウジング接続用溝、１３６…ドライバ固定用リブ、１３６ａ…ドライバ固定用溝、１３６ｂ…開口部、１４０…イヤーパッド、１４１…孔、１５０…マイクロホン接続部材、１５１…マイクロホン、２００…左側ユニット、２１０…ハウジング、２２０…キャップ、２３０，２３０′，３００…アーム、３０１…ハウジング接続部、３０２…曲折部、３０３…ネックバンド部、３０４…第２のフランジ部
【図１】
0003589210.tif 000002
【図２】
0003589210.tif 000003
【図３】
0003589210.tif 000004
【図４】
0003589210.tif 000005
【図５】
0003589210.tif 000006
【図６】
0003589210.tif 000007
【図７】
0003589210.tif 000008
【図８】
0003589210.tif 000009
【図９】
0003589210.tif 000010
【図１０】
0003589210.tif 000011
【図１１】
0003589210.tif 000012
【図１２】
0003589210.tif 000013
【図１３】
0003589210.tif 000014
【図１４】
0003589210.tif 000015
【図１５】
0003589210.tif 000016
【図１６】
0003589210.tif 000017
【図１７】
0003589210.tif 000018
【図１８】
0003589210.tif 000019
【図１９】
0003589210.tif 000020
【図２０】
0003589210.tif 000021